(57)【要約】【課題】被案内部の変形を起因としたスクリーンの撓みを回避すること。【解決手段】スクリーン装置１は、巻取軸７と、巻取軸７に繰り出し及び巻き取り可能に巻着されたスクリーン２１と、スクリーン２１をスライド自在に案内する案内溝をそれぞれ有する一対のガイドレール６とを備える。スクリーン２１の両端縁には、各案内溝にそれぞれ挿通し、当該スクリーン２１よりも厚み寸法の大きい被案内部２３がそれぞれ設けられている。スクリーン装置１は、一対のガイドレール６間に位置し、スクリーン２１の繰り出し時及び巻き取り時に被案内部２３が摺接する摺接部８１４を備える。【選択図】図２
2018115472.tif 000002
【特許請求の範囲】
【請求項１】
巻取軸と、
前記巻取軸に繰り出し及び巻き取り可能に巻着されたスクリーンと、
前記スクリーンをスライド自在に案内する案内溝をそれぞれ有する一対のガイドレールと、を備えたスクリーン装置であって、
前記スクリーンの両端縁には、各前記案内溝にそれぞれ挿通し、当該スクリーンよりも厚み寸法の大きい被案内部がそれぞれ設けられ、
前記一対のガイドレール間に位置し、前記スクリーンの繰り出し時及び巻き取り時に前記被案内部が摺接する摺接部を備える
ことを特徴とするスクリーン装置。
【請求項２】
前記被案内部の端縁には、
当該被案内部よりも厚み寸法の大きい抜止部が設けられ、
前記案内溝における開口縁部分には、
互いに近接する方向に突出し、先端同士の離間寸法が前記被案内部の厚み寸法よりも大きく前記抜止部の厚み寸法よりも小さい一対の係止突起が設けられ、
前記一対の係止突起から前記摺接部の端部までの突出寸法は、
前記抜止部から前記被案内部の端縁までの幅寸法以上である
ことを特徴とする請求項１に記載のスクリーン装置。
【請求項３】
前記摺接部は、
前記ガイドレールとは別体で設けられ、当該ガイドレールと前記巻取軸との間に配置されている
ことを特徴とする請求項１または２に記載のスクリーン装置。
【発明の詳細な説明】
【技術分野】
【０００１】
本発明は、巻取軸からスクリーンを引き出すことで、防虫、遮光、断熱、あるいは目隠し等を行うスクリーン装置に関する。
【背景技術】
【０００２】
従来、防虫ネット等のスクリーンをロール式に巻き取るスクリーン装置が知られている（例えば、特許文献１参照）。
特許文献１に記載のスクリーン装置は、巻取軸と、当該巻取軸に繰り出し及び巻き取り可能に巻着された防虫ネットと、巻取軸の一端側及び他端側から防虫ネットの繰り出し方向に沿ってそれぞれ延在した一対のガイドレール（スクリーンガイド）とを備える。
ここで、防虫ネットにおける巻取軸からの繰り出し方向に平行な両端縁には、当該両端縁に沿ってそれぞれ延在し、防虫ネットよりも厚み寸法の大きい被案内部（高密度部）がそれぞれ設けられている。
また、ガイドレールには、当該ガイドレールの長手方向に沿って延在し、被案内部が挿通される案内溝が形成されている。
そして、防虫ネットは、被案内部が案内溝内で案内されつつスライドすることにより、巻取軸から繰り出される、あるいは、巻取軸に巻き取られる。
【先行技術文献】
【特許文献】
【０００３】
【特許文献１】実用新案登録第２５２７３３０号公報
【発明の概要】
【発明が解決しようとする課題】
【０００４】
ところで、特許文献１に記載のスクリーン装置では、被案内部は、防虫ネットの巻取軸からの繰り出しや巻取軸への巻き取りを繰り返すことによって、一部が案内溝から不要に飛び出してしまう場合がある。このような場合には、被案内部において、案内溝に挿通されている部分は、ガイドレール（案内溝）にて支持されている。しかしながら、被案内部において、案内溝から不要に飛び出した部分は、ガイドレール（案内溝）にて支持されていない。このため、被案内部は、防虫ネットの巻き取り時において、捩れた状態で巻き取られてしまう場合がある。そして、当該捩れた状態を維持すると、被案内部が変形し、防虫ネットに撓みが生じてしまう、という問題がある。
【０００５】
本発明は、上記実情に鑑みて、被案内部の変形を起因としたスクリーンの撓みを回避することができるスクリーン装置に関する。
【課題を解決するための手段】
【０００６】
上記目的を達成するため、本発明に係るスクリーン装置は、巻取軸と、前記巻取軸に繰り出し及び巻き取り可能に巻着されたスクリーンと、前記スクリーンをスライド自在に案内する案内溝をそれぞれ有する一対のガイドレールと、を備えたスクリーン装置であって、前記スクリーンの両端縁には、各前記案内溝にそれぞれ挿通し、当該スクリーンよりも厚み寸法の大きい被案内部がそれぞれ設けられ、前記一対のガイドレール間に位置し、前記スクリーンの繰り出し時及び巻き取り時に前記被案内部が摺接する摺接部を備えることを特徴とする。
【０００７】
本発明では、スクリーン装置は、巻取軸、スクリーン、一対の被案内部、及び一対のガイドレールの他、上述した摺接部を備える。このため、スクリーンの巻取軸からの繰り出しや巻取軸への巻き取りを繰り返すことによって、被案内部の一部が案内溝から不要に飛び出してしまった場合であっても、摺接部にて被案内部を支持することができる。すなわち、被案内部の一部が案内溝から不要に飛び出してしまった状態でスクリーンを巻き取った場合であっても、被案内部が捩れることなく、当該スクリーンを適切に巻き取ることができる。
したがって、本発明に係るスクリーン装置によれば、被案内部の変形を起因としたスクリーンの撓みを回避することができる、という効果を奏する。
【０００８】
また、本発明は、上述したスクリーン装置において、前記被案内部の端縁には、当該被案内部よりも厚み寸法の大きい抜止部が設けられ、前記案内溝における開口縁部分には、互いに近接する方向に突出し、先端同士の離間寸法が前記被案内部の厚み寸法よりも大きく前記抜止部の厚み寸法よりも小さい一対の係止突起が設けられ、前記一対の係止突起から前記摺接部の端部までの突出寸法は、前記抜止部から前記被案内部の端縁までの幅寸法以上であることを特徴とする。
本発明では、一対の係止突起から摺接部の端部までの突出寸法は、抜止部から被案内部の端縁までの幅寸法以上である。このため、抜止部が一対の係止突起に係止される位置まで被案内部が案内溝から最大限、飛び出してしまった場合であっても、摺接部にて被案内部を支持することができる。すなわち、被案内部が案内溝から最大限、飛び出してしまった状態でスクリーンを巻き取った場合であっても、被案内部が捩れることなく、当該スクリーンを適切に巻き取ることができる。
【０００９】
また、本発明は、上述したスクリーン装置において、前記摺接部は、前記ガイドレールとは別体で設けられ、当該ガイドレールと前記巻取軸との間に配置されていることを特徴とする。
本発明では、摺接部は、ガイドレールとは別体で設けられ、上述した位置に配置されている。すなわち、摺接部を目立ち難い箇所に配置しているため、上述した被案内部の変形を起因としたスクリーンの撓みを回避することができるという効果を好適に実現しつつ、スクリーン装置の外観品質を良好に維持することができる。
【発明の効果】
【００１０】
本発明に係るスクリーン装置によれば、被案内部の変形を起因としたスクリーンの撓みを回避することができる、という効果を奏する。
【図面の簡単な説明】
【００１１】
【図１】図１は、本実施の形態に係るロール網戸を室内側から見た正面図である。
【図２】図２は、収納ケースの内部を示す図である。
【図３】図３は、収納ケースの内部を示す図である。
【図４Ａ】図４Ａは、基体の構造を示す図である。
【図４Ｂ】図４Ｂは、基体の構造を示す図である。
【図４Ｃ】図４Ｃは、基体の構造を示す図である。
【図５】図５は、ガイドレールの構造を示す断面図である。
【発明を実施するための形態】
【００１２】
以下、本発明に係るスクリーン装置としてロール網戸を例示し、添付図面を参照しながら当該ロール網戸の好適な実施の形態について詳細に説明する。
【００１３】
図１は、本実施の形態に係るロール網戸１を室内側から見た正面図である。
なお、以下で記載する「左」は、室内側から見て左（図１中、左）を意味する。また、以下で記載する「右」は、室内側から見て右（図１中、右）を意味する。
図１の例では、ロール網戸１は、建物の開口部の縁部に沿って取り付けられた枠体１１、及び枠体１１内に設けられた可動障子１２を有する建具１０に対して取り付けられている。また、ロール網戸１は、ネット２を上下方向に繰り出し及び巻き取り可能とする上げ下げロール網戸で構成されている。
なお、図１では、説明の便宜上、枠体１１を構成する上枠１１ａ、下枠１１ｂ、及び左右の縦枠１１ｃとして、額縁部材１３ａ〜１３ｃがそれぞれ取り付けられるアングル部のみを破線で図示している。
【００１４】
ロール網戸１は、ネット２と、網戸枠３とを備える。
ネット２は、本発明に係るスクリーンに相当するネット本体２１と、ネット本体２１に取り付けられる可動框２２及び一対の被案内部２３とを備える。
ネット本体２１は、経糸と緯糸とを格子状に平織りしたものであり、上下方向に沿って延在した矩形状に形成されている。
可動框２２は、左右方向に延在した合成樹脂製またはアルミニウム製の部材で構成され、ネット本体２１の下端縁に沿って取り付けられている。
一対の被案内部２３は、上下方向に延在したファスナーテープでそれぞれ構成され、ネット本体２１における左右両端縁にそれぞれ溶着されている。また、一対の被案内部２３において、ネット本体２１から離間する側の各端縁には、抜止部２４（図２，図３参照）がそれぞれ設けられている。なお、図２及び図３の例では、抜止部２４として、合成樹脂製のファスナーエレメントを採用している。
以上説明したネット本体２１、被案内部２３、及び抜止部２４の各厚み寸法Ｄ１〜Ｄ３は、抜止部２４の厚み寸法Ｄ３が最も大きく、ネット本体２１の厚み寸法Ｄ１が最も小さくなるように設定されている（図５参照）。
【００１５】
網戸枠３は、枠体１１の室内側に位置し、枠体１１に対して両面テープ等のアタッチメント（図示略）を介して取り付けられている。この網戸枠３は、収納ケース４と、一対のガイドレール６とを備える。
図２及び図３は、収納ケース４の内部を示す図である。なお、図２は、カバー部材９を開放した状態を室内側から見た正面図である。図３は、カバー部材９を開放した収納ケース４の内部を下方から見上げた斜視図である。
収納ケース４は、枠体１１を構成する上枠１１ａ（図１）に沿って配設されている。そして、収納ケース４の内部には、巻取軸７（図２）が設けられている。この巻取軸７は、円柱形状を有し、その外周面にネット２の上端縁が固定されている。すなわち、ネット２は、巻取軸７に対して、繰り出し及び巻き取り可能に巻着されている。
そして、収納ケース４は、巻取軸７の両端部をそれぞれ支持する一対の軸支持部材８と、一対の軸支持部材８に対して回動可能に設けられ、収納ケース４の内部を開閉可能とするカバー部材９とを備える。
【００１６】
一対の軸支持部材８は、巻取軸７の両端部側にそれぞれ設けられ、当該巻取軸７を回動可能に支持する部材である。なお、一対の軸支持部材８は、左右対称となる構造を有しているため、以下では、右側の軸支持部材８の構造を主に説明する。
軸支持部材８は、容器状の基体８１と、当該基体８１の開口部分を閉塞する蓋体８２とを備える。
【００１７】
図４Ａないし図４Ｃは、基体８１の構造を示す図である。なお、図４Ａないし図４Ｃは、一対の軸支持部材８のうち右側に配設される軸支持部材８を構成する基体８１を示している。また、図４Ａは、基体８１を左側から見た図である。図４Ｂは、基体８１を室内側から見た図である。図４Ｃは、基体８１を下方から見た図である。
基体８１は、基体本体８１１と、軸支部８１２と、係合部８１３と、摺接部８１４とを備える。
基体本体８１１は、左側が開口した容器形状を有する。
軸支部８１２は、基体本体８１１における底部分の略中心位置から左側に突出する略円筒形状を有し、巻取軸７の一端が挿通され、当該巻取軸７を回動可能に軸支する部分である。
係合部８１３は、基体本体８１１における下方側の側壁の室外側から下方に突出し、ガイドレール６に係合する部分である。
摺接部８１４は、基体本体８１１における下方側の側壁の室外側から左側に突出した部分である。この摺接部８１４には、先端から基端側に向けて切り欠かれ、右側の被案内部２３が挿通されるスリット８１５（図４Ａ，図４Ｃ）が形成されている。このスリット８１５は、先端側が基端側に対して室外側にオフセットしたクランク形状を有する。
【００１８】
なお、左側の軸支持部材８には、具体的な図示は省略したが、巻取軸７に係合し、当該巻取軸７とともに回動可能に設けられた回動部が設けられている。また、左側の軸支持部材８には、当該回動部に係合し、ユーザによる操作に応じて当該回動部を回動させるボールチェーンＢＣ（図１）が取り付けられている。
すなわち、ネット２は、ユーザにてボールチェーンＢＣが操作され、上述した回動部及び巻取軸７が一方の方向に回転されることで、巻取軸７に巻き取られ、枠体１１の開口部分を開放した開放状態に設定される。一方、ネット２は、ユーザにてボールチェーンＢＣが操作され、上述した回動部及び巻取軸７が他方の方向に回転されることで、巻取軸７から繰り出され、枠体１１の開口部分を閉鎖した閉鎖状態に設定される。
【００１９】
図５は、ガイドレール６の構造を示す断面図である。なお、図５は、一対のガイドレール６のうち右側に配設されるガイドレール６を示している。
一対のガイドレール６は、合成樹脂製またはアルミニウム製の部材でそれぞれ構成され、上下方向に延在した四角柱形状をそれぞれ有し、枠体１１を構成する左右の各縦枠１１ｃの見付け面にそれぞれ固定される。なお、一対のガイドレール６は、左右対称となる構造を有しているため、以下では、右側のガイドレール６の構造を主に説明する。
ガイドレール６には、当該ガイドレール６の上下両端面から当該ガイドレール６の長手方向に沿って延在し、当該ガイドレール６の左側側面に開口する案内溝６１が形成されている。この案内溝６１は、右側の被案内部２３が挿通され、当該被案内部２３をスライド自在に案内する部分である。なお、案内溝６１の深さ寸法（図５中、左右方向の深さ寸法）は、被案内部２３の幅寸法（図５中、左右方向の長さ寸法）と略同一の寸法に設定されている。
そして、案内溝６１における開口縁部分には、互いに近接する方向に突出する一対の係止突起６２が形成されている。ここで、一対の係止突起６２の先端同士の離間寸法Ｄ４は、被案内部２３の厚み寸法Ｄ２よりも大きく、抜止部２４の厚み寸法Ｄ３よりも小さく設定されている（図５）。すなわち、ネット２は、ガイドレール６から離間する方向に引っ張られた場合であっても、抜止部２４が一対の係止突起６２に係止されるため、ガイドレール６からの抜けが防止されている。
【００２０】
また、ガイドレール６において、案内溝６１の右側の位置には、当該ガイドレール６の上下両端面から当該ガイドレール６の長手方向に沿って延在し、係合部８１３が係合（嵌合）する係合受け部６３が形成されている。
そして、係合部８１３が係合受け部６３に係合した状態では、摺接部８１４は、以下の位置に位置付けられる（図２）。
摺接部８１４は、ガイドレール６の上方側であって、当該ガイドレール６と巻取軸７との間に位置付けられる。また、摺接部８１４の先端（左側の端部）は、ガイドレール６よりも左側に位置する。すなわち、摺接部８１４は、一対のガイドレール６間に位置する。ここで、一対の係止突起６２から摺接部８１４の先端までの突出寸法Ｄ５は、抜止部２４から被案内部２３におけるネット本体２１に近接する側の端縁までの幅寸法Ｄ６と略同一に設定されている。
以上の位置に摺接部８１４を設けることにより、被案内部２３は、ネット２の繰り出し時及び巻き取り時において、ガイドレール６と巻取軸７との間の部分が摺接部８１４（スリット８１５）に摺接することとなる。
【００２１】
以上説明した本実施の形態１によれば、以下の効果を奏する。
本実施の形態１に係るロール網戸１では、巻取軸７、ネット本体２１、被案内部２３、及びガイドレール６の他、摺接部８１４を備える。このため、ネット２の巻取軸７からの繰り出しや巻取軸７への巻き取りを繰り返すことによって、被案内部２３の一部が案内溝６１から不要に飛び出してしまった場合であっても、摺接部８１４にて被案内部２３を支持することができる。すなわち、被案内部２３の一部が案内溝６１から不要に飛び出してしまった状態でネット２を巻き取った場合であっても、被案内部２３が捩れることなく、当該ネット２を適切に巻き取ることができる。
したがって、本実施の形態に係るロール網戸１によれば、被案内部２３の変形を起因としたネット本体２１の撓みを回避することができる、という効果を奏する。
【００２２】
また、本実施の形態１に係るロール網戸１では、一対の係止突起６２から摺接部８１４の先端までの突出寸法Ｄ５は、抜止部２４から被案内部２３におけるネット本体２１側の端縁までの幅寸法Ｄ６と略同一に設定されている。このため、抜止部２４が一対の係止突起６２に係止される位置まで被案内部２３が案内溝６１から最大限、飛び出してしまった場合であっても、摺接部８１４にて被案内部２３を支持することができる。すなわち、被案内部２３が案内溝６１から最大限、飛び出してしまった状態でネット２を巻き取った場合であっても、被案内部２３が捩れることなく、当該ネット２を適切に巻き取ることができる。
【００２３】
また、本実施の形態１に係るロール網戸１では、摺接部８１４は、ガイドレール６とは別体で設けられ、当該ガイドレール６と巻取軸７との間に配置されている。すなわち、摺接部８１４を目立ち難い箇所に配置しているため、上述した被案内部２３の変形を起因としたネット本体２１の撓みを回避することができるという効果を好適に実現しつつ、ロール網戸１の外観品質を良好に維持することができる。
【００２４】
（その他の実施の形態）
ここまで、本発明を実施するための形態を説明してきたが、本発明は上述した実施の形態によってのみ限定されるべきものではない。
上述した実施の形態では、本発明に係るスクリーン装置として、防虫を目的としたロール網戸を例示したが、これに限らず、その他、遮光、断熱、あるいは目隠し等を目的としたスクリーン装置で構成しても構わない。
上述した実施の形態では、本発明に係るスクリーンを上下方向に繰り出し及び巻き取り可能に構成していたが、これに限らず、左右方向等、その他の方向に繰り出し及び巻き取り可能に構成しても構わない。
上述した実施の形態では、一対の係止突起６２から摺接部８１４の先端までの突出寸法Ｄ５を抜止部２４から被案内部２３におけるネット本体２１側の端縁までの幅寸法Ｄ６と略同一に設定していたが、これに限らず、突出寸法Ｄ５を幅寸法Ｄ６よりも長く設定しても構わない。
上述した実施の形態において、摺接部８１４は、一対のガイドレール６間に位置していれば、上述した実施の形態で説明した位置に限らず、例えば、当該ガイドレール６に一体的に形成しても構わない。
【符号の説明】
【００２５】
１  ロール網戸（スクリーン装置）、６  ガイドレール、７  巻取軸、２１  ネット本体（スクリーン）、２３  被案内部、２４  抜止部、６１  案内溝、６２  係止突起、８１４  摺接部、Ｄ１〜Ｄ３  厚み寸法、Ｄ４  離間寸法、Ｄ５  突出寸法、Ｄ６  幅寸法
【図１】
2018115472.tif 000003
【図２】
2018115472.tif 000004
【図３】
2018115472.tif 000005
【図４Ａ】
2018115472.tif 000006
【図４Ｂ】
2018115472.tif 000007
【図４Ｃ】
2018115472.tif 000008
【図５】
2018115472.tif 000009